(57)【要約】歯列矯正ブラケットは、ブラケットボディの上面上にリセスを有するブラケットボディと、歯列矯正ワイヤの受け入れに適応するアーチワイヤスロットとを含んでいる。また、歯列矯正ブラケットは、その底面上に突起を有する結紮部材を含んでいる。結紮部材がオープンポジションからクローズドポジションへ移動する際に、歯列矯正ワイヤをアーチワイヤスロット内に保持するために、結紮部材は、ブラケットボディに移動可能に接続している。また、オープンポジションからクローズドポジションまで結紮部材を移動させるための力を必要とするよう、歯列矯正ブラケットは、ブラケットボディ上のリセスに配置される離散スプリングを含んでいる。【選択図】なし【特許請求の範囲】
【請求項１】
歯列矯正ブラケットであって：
上面上のリセスと、アーチワイヤスロットとを含むブラケットボディと；
底面からリセスまで伸びる突起を含む結紮部材であって、前記結紮部材は、アーチワイヤスロット内に歯列矯正ワイヤを保持するためにブラケットボディに移動可能に接続する、前記結紮部材と；
オープンポジションからクローズドポジションまで結紮部材を移動するために力が必要となるよう、リセス内に配置される離散スプリングとを備えることを特徴とする、歯列矯正ブラケット。
【請求項２】
結紮部材がオープンポジションからクローズドポジションへと移動する際に、突起はリセスに伸び、離散スプリングに接触することを特徴とする、請求項１に記載の歯列矯正ブラケット。
【請求項３】
離散スプリングが、環状、円板状、卵状、ヘリカル状、円状または、湾曲状の、形状であることを特徴とする、請求項１に記載の歯列矯正ブラケット。
【請求項４】
結紮部材がオープンポジションからクローズドポジションへ移動する際、リセスが離散スプリングの移動を制限することを特徴とする、請求項１に記載の歯列矯正ブラケット。
【請求項５】
リセスが、第１の端部により画定されるスプリング部分と、第２の端部により画定される誘導部分とを含むことを特徴とする、請求項１に記載の歯列矯正ブラケット。
【請求項６】
第１の端部が、離散スプリングの一部と同心であり、第２の端部が、オープンポジションからクローズドポジションまでの突起の動程軌道に平行であることを特徴とする、請求項５に記載の歯列矯正ブラケット。
【請求項７】
リセスが、少なくとも第３の端部により画定するリリーフ部分をさらに含み、突起により圧縮される際に、離散スプリングがリリーフ部分に伸びるように、構成されることを特徴とする、請求項５に記載の歯列矯正ブラケット。
【請求項８】
リセスの深度が、離散スプリングの厚さによりも深いことを特徴とする、請求項５に記載の歯列矯正ブラケット。
【請求項９】
第３の端部が、楕円状に成形され、オープンポジションからクローズドポジションまでの突起の動程方向と平行な主軸でスプリング部分に重なり合うことを特徴とする、請求項７に記載の歯列矯正ブラケット。
【請求項１０】
歯列矯正ブラケットであって：
リセスを有する第１の表面であって、前記リセスは、第１の端部により画定するスプリング部分と、第２の端部により画定する誘導部分とを含む、前記第１の表面と；
リセスのスプリング部分に設置される離散スプリングと；
第２の端部に隣接して第２の表面から伸びるリセスに突起と；
を備え、
第１の表面と第２の表面とが相互に動く際に、離散スプリングが突起により圧縮されるように、ブラケットは構成されることを特徴とする、歯列矯正ブラケット。
【請求項１１】
突起により圧縮される際に、離散スプリングがリリーフ部分に伸びるように構成される、第３の端部により画定するリリーフ部分を、リセスがさらに含むことを特徴とする、請求項１０に記載の歯列矯正ブラケット。
【請求項１２】
リセスの深度が、離散スプリングの厚さによりも深いことを特徴とする、請求項１０に記載の歯列矯正ブラケット。
【請求項１３】
離散スプリングが、環状、円板状、卵状、ヘリカル状、半円状、円状形、または湾曲状であることを特徴とする、請求項１０に記載の歯列矯正ブラケット。
【請求項１４】
第１の表面が第２の表面に対して移動する際に、リセスが離散スプリングの移動を制限することを特徴とする、請求項１０に記載の歯列矯正ブラケット。
【請求項１５】
第１の端部が、離散スプリングの一部と同心であり、第２の端部が、直鎖の形状であり、オープンポジションからクローズドポジションへの突起の動程軌道と平行であることを特徴とする、請求項１０に記載の歯列矯正ブラケット。
【請求項１６】
第２の端部が、突起の動程方向に平行である長軸でスプリング部分に重なり合う楕円であることを特徴とする、請求項１１に記載の歯列矯正ブラケット。
【請求項１７】
歯列矯正ブラケットであって：
ブラケットボディの上面から伸びる突起と、歯列矯正ワイヤを受け入れることに適応したアーチワイヤスロットとを含む、ブラケットボディと；
底面上にリセスを含む結紮部材であって、前記結紮部材は、オープンポジションからクローズドポジションまで結紮部材が移動される際に、アーチワイヤスロット内の歯列矯正ワイヤを保持するために、ブラケットボディに移動可能に接続する、前記結紮部材と；
オープンポジションからクローズドポジションまで結紮部材を移動させる力が必要になるよう、リセス内に配置される、離散スプリングと；
を備えることを特徴とする、歯列矯正ブラケット。
【請求項１８】
結紮部材がオープンポジションからクローズドポジションへと移動する際に、突起がリセスに伸び、離散スプリングに接触することを特徴とする、請求項１７に記載の歯列矯正ブラケット。
【請求項１９】
リセスが、第１の端部により画定するスプリング部分と、第２の端部により画定する誘導部分とを含んでいることを特徴とする、請求項１７に記載の歯列矯正ブラケット。
【請求項２０】
第１の端部が、離散スプリングの一部と同心であり、直鎖端部が、オープンポジションからクローズドポジションまでの突起の動程軌道に平行であることを特徴とする、請求項１９に記載の歯列矯正ブラケット。
【発明の詳細な説明】
【背景技術】
【０００１】
歯列矯正ブラケットは、不正咬合等の顔面および歯科の不規則性を予防および治療する目的で、歯列矯正医により用いられる。歯列矯正医からの処理を求める患者は、歯並びの悪い歯の存在に関心を持っており、または、より詳しくは歯の密生、フレア形成、歯列の不規則性、不満足な歯状、「ガミー」スマイル、ならびに、咀嚼の困難などに関心を持っている。
【０００２】
歯科矯正治療は、他の美容および口腔の不規則性および問題を治療することができるだけでなく、上記に列挙される問題を修正することができる。上下の歯列弓を収容する支持骨構造の間の相違の結果により、歯科矯正治療を必要とする問題となる場合がある。長期安定性を実現しつつ、魅力的なスマイルおよび適切な咀嚼作用を提供するため、歯科矯正治療はこれらの矛盾に対応することができる。熟練した経験豊かな歯列矯正医は、歯科患者に対し、様々な技術および関連した機器と製品を用いて、これらのゴールに到達しようとしている。
【０００３】
歯および顎の不規則性および問題を修正するために歯列矯正医に広範囲に使用される、その製品の一つは、歯列矯正ブラケットである。歯列矯正ブラケットを患者の歯に固定して、歯列矯正医によって使用して、患者の歯を並び直し、動かし、または移動する。歯列矯正ブラケットは、少なくとも２つの基本目標を実現するように設計されており：それは、歯への結合を提供することと、歯列矯正アーチワイヤを保持することとである。歯列矯正ブラケットは、歯列矯正アーチワイヤを歯に接続させることにより、中間体のように機能する。
【０００４】
弾性を有する歯列矯正アーチワイヤを、曲げまたは捻る際に、ブラケットの歯への結合が、歯に力を伝え、その後、ブラケットとかみ合うようになる。患者の歯に装着した歯列矯正ブラケットに結合するアーチワイヤは、患者の歯に力を順に伝達させるように作用する機械力システムを提供し、従って、歯列矯正医の作業により、歯を適切な位置にあてがう。
【０００５】
従来の歯列矯正ブラケット設計は、ブラケットの結合ウイングのまわりを包むエラストマー結紮またはワイヤ結紮を用いた結紮により、アーチワイヤがアーチワイヤスロットに関与できるようにする。アーチワイヤの除去を予防する目的で、ブラケットスロット中にアーチワイヤを確保するためには、結紮またはある種の締結手段が重要である。
【０００６】
歯列矯正医および患者におけるワイヤ結紮の使用において、いくつかの問題が存在する。結紮ワイヤの適用には、歯列矯正医の側の顕著な技術と、長い患者のチェアタイムとが必要となる。更に、処理過程での曲げまたは交換のために、アーチワイヤを、適宜、歯列矯正ブラケットから取り出す必要があり、反復的な結紮運転および患者／歯列矯正医の時間の増加を必要とする。
【０００７】
同様に、従来のワイヤ結紮は他の不利を有している。ワイヤによる結紮は、食物小片の原因および歯石の蓄積になるような厳しい口腔環境に率直にさらしてしまう、好ましくない隅および割れ目を形成する。また、アーチワイヤに沿って歯の移動が生じるため、ワイヤ結紮によるアーチワイヤの結合は好ましくなく、なぜなら、結合により、歯科矯正治療の間に不必要な耐性力が供給されることがあるからである。歯列矯正医は、結紮ワイヤによって与えられるこれらの不必要な応力を説明する必要がある。慎重な治療なしに、歯列矯正機械力により意図した調整的な歯の移動が、危険にさらされる場合がある。
【０００８】
また、エラストマー結紮も不利になる。エラストマー結紮は、変色する傾向があり、この弾力を迅速に失うこと場合がある。従って、歯列矯正ブラケットにアーチワイヤを固定する場合のエラストマー結紮の効率が、経時的に減少する。エラストマー結紮は、非効果的または失敗する場合があり、頻度が高い交換を必要とする場合がある。
【０００９】
従来の結紮方法および製品の不利益に対処する１つの方法に、結紮ワイヤ、エラストマー結紮などが十分に除去されない場合に、その必要性を減少させうるように、迅速のアーチワイヤ保持およびリリースメカニズムを取り入れることがある。自己結紮ブラケット式は、従来の結紮方法および製品の不利に対応しようとし、ここで、ブラケットは、別々の結紮ワイヤまたはエラストマー結紮の必要なしに、アーチワイヤを保持することが可能である。自己結紮ブラケットを、オープン位置に配置して、アーチワイヤのアーチワイヤスロットへの挿入または取り出しができるようにし、クローズドポジションに配置して、アーチワイヤスロットの中にアーチワイヤを保持することができるようにする。
【００１０】
既知の自己結紮ブラケットにおいて、問題が存在する。歯列矯正ブラケットにかかわる生産および組み立て工程の複雑さが原因で、摺動結紮部材を有する自己結紮ブラケットの生産を、費用効果に優れ効率的な方式で行うことが難しい。多くの既存自己結紮のデザインは、高いスクラップ率で罹患する。
【発明の概要】
【発明が解決しようとする課題】
【００１１】
また、既知の自己結紮ブラケットを製造および組立てに関する困難さが、歯科矯正治療における使用に対する困難さを生じる場合もある。自己結紮ブラケットが摺動結紮部材を含むデザインにおいて、可動結紮部材は、結紮部材がアーチワイヤスロットを被覆するような位置に保持される必要がある。既存の自己結紮デザインは、結紮部材をオープンポジションからクローズドポジションへ移動させるサイクルが数サイクル後、しばしば機能しなくなる。さらに、既知の結紮部材をオープンするおよびクローズするために必要な力を、種々の問題に対して、大いに変化させる場合がある。結紮部材を移動させるために必要な力が小さすぎるケースでは、結紮部材がクローズドポジションに十分に保持されない場合があり、このため、アーチワイヤを確実に保持することができない。結紮部材をクローズドポジションに移動させるために必要な力が大きすぎるケースでは、歯列矯正医は、結紮部材をクローズすることができない場合があり、または、治療の間に患者に対する不快感に変化させるように、結紮部材をクローズさせてしまう場合がある。
【００１２】
従って、上述の不利益および問題の１つ以上に対応する改良した自己結紮ブラケットの必要性が存在する。一実施形態では、本開示は、別々のワイヤまたはエラストマー結紮の必要なしにアーチワイヤを保持する、信頼できる方法を含んだ、自己結紮ブラケットを記載する。また、本開示は、より容易に製造され、かつ、スクラップ率を、既存のデザインのスクラップ率よりも減少させる、自己結紮ブラケットを記載する。またさらに、本開示は、結紮部材を、オープンなまたはクローズドなポジションに保持するまたはバイアスをかけるための、反復可能な、耐久性のあるデザインを含んでいる。
【００１３】
さらに別の利点としては、臨床環境における使いやすさがある。これは特に、リンガル歯列矯正ブラケットの場合に歴然としている。大部分の歯列矯正ブラケットは、患者の唇の組織に対向する領域または一般に外に見える領域である歯の外面（唇の表面）に配置され、ある患者は、治療に対して美容上のアプローチを選択する。リンガルブラケットは、歯科矯正治療を考慮し、可視的に他には見えず、ここで、ブラケットは歯の舌（リンガル）表面に結合する。リンガルブラケットは、患者の口内との接触が限定されていることが原因で、特に歯列矯正医により操作することが困難である。本開示は、歯列矯正医により結紮部材の簡単な操作を可能にする、使いやすい自己結紮ブラケットを記載する。
【課題を解決するための手段】
【００１４】
一実施形態では、歯列矯正ブラケットは、その上面上にリセスを含むブラケット体と、矯正線を受け入れるように適応されるアーチワイヤスロットとを含んでいる。
また、歯列矯正ブラケットは、底面からブラケット体上のリセスに延伸する突起を有する結紮部材を含んでいる。結紮部材は、結紮部材がオープンポジションからクローズドポジションへ移動する際に、アーチワイヤスロット内で矯正線を保持するよう、ブラケット体に移動可能に接続している。また、オープンポジションからクローズドポジションへ結紮部材を移動するために力が必要となるよう、歯列矯正ブラケットは、ブラケット体上でリセス内に配置される離散スプリングを含んでいる。
【００１５】
別の実施形態では、結紮部材がオープンポジションからクローズドポジションへ移動する際に、歯列矯正ブラケットの突起は、リセスにまで伸びて、離散スプリングに接触する。
【００１６】
別の実施形態では、離散スプリングは、環状、円板状、卵状、ヘリカル状、円状または、湾曲状の、形状である。
【００１７】
別の実施形態では、結紮部材がオープンポジションからクローズドポジションへ移動される際、リセスは離散スプリングの移動を制限する。
【００１８】
別の実施形態では、歯列矯正ブラケットのブラケット体の上面上のリセスは、円弧端を有するスプリング部分と、線状端を有する誘導部分とを含んでいる。
【００１９】
別の実施形態では、歯列矯正ブラケットのリセスは、離散ばねの一部と同心の円弧端を有するスプリング部分を含んでいる。
また、リセスは、オープンポジションからクローズドポジションまでの突起の動程軌道に平行した線状端を有する誘導部分を含んでいる。
【００２０】
別の実施形態では、歯列矯正ブラケットのリセスは、また、第２の円弧端を有するリリーフ部分を含んでいることにより、離散スプリングが、突起により圧縮される際に、リリーフ部分に伸びるようになる。
【００２１】
別の実施形態では、歯列矯正ブラケットのリセスの深度は、離散スプリングの厚さよりも大きい。
【００２２】
別の実施形態では、リセスのリリーフ部分は、楕円状に成形され、リセスのスプリング部分に重なり合っており、ここで、主軸は、オープンポジションからクローズドポジションまでの突起の動程の軌道に平行である。
【００２３】
別の実施形態では、歯列矯正ブラケットは、リセスを有する表面を含んでおり、ここで、リセスは、円弧とすることができる第１端を有するスプリング部分と、線状とすることができる第２端を有する誘導部分とを含んでいる。リセスは、リセスのバネ部分に、離散スプリングを更に含んでいる。突起は、第２の表面から第２の端に隣接したリセスに伸び、ここで、離散スプリングが、第１の表面および第２の表面が互いに関連して移動する際に突起により圧縮されるように、ブラケットは構成される。
【００２４】
別の実施形態では、歯列矯正ブラケットは、上面から伸びる突起およびアーチワイヤを受け入れることに適するアーチワイヤスロットを有するブラケット体と、底面上のリセスを含む結紮部材とを含んでいる。結紮部材は、結紮部材がオープンポジションからクローズドポジションへ移動する際に、歯列矯正ワイヤをアーチワイヤスロット内に保持するために、ブラケット体に移動可能に接続している。また、歯列矯正ブラケットは、結紮部材上のリセスに配置される離散スプリングを含んでいるため、オープンポジションからクローズドポジションへ結紮部材を移動させるために力が必要となる。
【図面の簡単な説明】
【００２５】
所定の実施形態が、図面に示される。しかしながら、本開示は、添付の図面に示される構成および手段に限定されないことが、理解される。
【００２６】
図１は、自己結紮ブラケットの実施形態を例示する図である。
【００２７】
図２は、アーチワイヤで歯の唇側面上に装着される、本開示の自己結紮ブラケットの実施形態の上面図である。
【００２８】
図３は、アーチワイヤで歯の舌表面上に装着される、本開示の自己結紮ブラケットの実施形態の側面図である。
【００２９】
図４は、クローズドポジションにおける自己結紮ブラケットの実施形態の側面図である。
【００３０】
図５は、オープンポジションにおける自己結紮ブラケットの実施形態の側面図である。
【００３１】
図６は、自己結紮ブラケットの実施形態の正面断面図である。
【００３２】
図７は、結紮部材のない自己結紮ブラケットの実施形態の正面断面図である。
【００３３】
図８は、結紮部材のない自己結紮ブラケットの実施形態の等角図である。
【００３４】
図９は、隠線で示すスプリングおよび突起を有する自己結紮ブラケットの実施形態の等角図である。
【００３５】
図１０は、スプリングのないリセスの図である。
【００３６】
図１１は、スプリングを有する結紮部材の実施形態の下面図である。
【００３７】
図１２は、クローズドポジションで結紮部材を有する自己結紮ブラケットの実施形態の上面図である。
【００３８】
図１３は、オープンポジションとクローズドポジションとの間の中間における、結紮部材を有する自己結紮ブラケットの実施形態の上面図である。
【００３９】
図１４は、オープンポジションにおいて結紮部材を有する自己結紮ブラケットの実施形態の上面図である。
【００４０】
図１５は、自己結紮ブラケットの他の実施形態の正面断面図である。
【００４１】
図１６は、結紮部材のない自己結紮ブラケットの他の実施形態の等角図である。
【００４２】
図１７は、ブラケット体から結紮部材を取り外した他の実施形態の自己結紮ブラケットの側面図である。
【００４３】
図１８は、リセスおよびスプリングを有する結紮部材の他の実施形態の図である。
【発明を実施するための形態】
【００４４】
ここに開示される原理を推進し理解するため、図面に例示される好ましい実施形態が行われ、同一を記載するために具体的な言語が用いられる。それにもかかわらず、範囲の制限は、そのためには意図されていないことが、理解される。例示されたデバイスにおけるこの改変および更なる変形と、ここに例示されるように開示された法則の更なる応用とが、この開示が関連する当業者に一般に生じるように、考慮される。
【００４５】
図１に示すように、自己結紮ブラケット１の実施形態は、歯面への結合のためのブラケットベース３と、アーチワイヤの関与および保持のための様々な構造を有するブラケットボディ５とを含んでいてもよい。ブラケットベース３は、凹状の輪郭の表面を有してもよく、歯へのその結合を強化するためのインデントされた底部を含んでいてもよい。ブラケットベース３とブラケットボディ５とは、互いに接続しており、一体的に形成されてもよく、一緒に成形されてもよく、または、溶接されてもよい。
【００４６】
自己結紮ブラケット１は、ブラケットボディ５を含んでいてもよい。ブラケットボディ５は、歯肉の拡張１７と、咬合せの拡張１９と、アーチワイヤスロット１１を明確化する支持表面７とを、を含んでいてもよい。アーチワイヤスロット１１は、歯列矯正アーチワイヤを受け入れるようにサイズ設定され、アーチワイヤスロットベース９の端部と中央端部および末端端部の側部とに、ベベルエッジ１５を含んでいる。それがアーチワイヤスロット１１の中に受け入れられる際、１５が医薬品有効成分ベベルエッジは歯列矯正ワイヤが損傷したようになるという見込みを減少する。アーチワイヤスロット１１が咬合平面（前歯の端部と臼歯の犬歯とをつなぐことにより構成される仮想平面）に対して略平行に動作するように、歯肉の拡張１７と、咬合せの拡張１９と、支持体表面７とが構成される。アーチワイヤスロット１１は、規範的なトルク、先端および角形成につき必要に応じて、ブラケットを横切って角度配向してもよい。
【００４７】
ブラケットボディ５の歯肉拡張１７と咬合拡張１９とは、ブラケットベース３から上方に伸びる。歯肉拡張１７または咬合拡張１９は、少なくとも１つの結合ウイングを含んでいてもよい。結合ウイングは、ブラケットボディ５の歯肉側と咬合側の一方又は双方に配置することが可能である。一実施形態では、ブラケットボディ５は、歯肉拡張１７に歯肉結合ウイング３３を含んでいてもよい。歯肉結合ウイング３３は、図３に表すように、歯の表面の方へと角度をつけることが可能である。
【００４８】
前述のとおり、ブラケットボディ５は、アーチワイヤスロット１１を画定する歯肉拡張１７、咬合拡張１９および支持表面７を含んでいてもよい。さらに具体的に、歯肉拡張１７は、横方向に配向する歯肉隔壁２１を含んでおり、咬合拡張１９は、支持表面７と共にアーチワイヤスロット１１を画定する咬合隔壁２３を含んでいる。アーチワイヤスロット１１内に受け入れられる歯列矯正ワイヤは、これらの３つの表面により囲まれる。アーチワイヤスロット１１は、結紮部材２５がオープンポジションにある際に、歯列矯正アーチワイヤを受けるまたは取り出すために、オープンである。さらに記載するように、結紮部材２５がクローズドポジションに移動する際に、結紮部材２５はアーチワイヤスロット１１を被覆し、受け入れた歯列矯正ワイヤを保持する。アーチワイヤスロット１１は、円形、長方形または四角型の歯列矯正アーチワイヤに適合するように構成される。
【００４９】
歯肉拡張１７上の歯肉結合ウイング３３に戻り、歯肉結合ウイング３３は、開口ツールまたはスケーラ等のツールの挿入のために十分に大きい歯肉インデント２９（図１で示すように）を含んでいてもよい。歯肉インデント２９は、歯肉拡張１７の上面に沿った隙間であり、この歯肉拡張１７は、ブラケットベース３に向かって下方に伸び、結紮部材２５がクローズドポジションにある際は結紮部材２５の一端に接触ができるようにする。歯肉インデント２９は、歯列矯正医または他の臨床医に対して、アーチワイヤスロット１１を開く際に、力を適用し、結紮部材２５を咬合方向に移動させることができるようにする。アーチワイヤスロット１１の閉環は、歯肉拡張１７に向かう方向で咬合端部３１上に結紮部材２５を押圧することにより実現することが可能である。結紮部材２５の閉環は、歯科ツールまたは臨床医の指先で達成することが可能である。
【００５０】
また、自己結紮ブラケット１は、結紮部材２５を含んでいる。結紮部材２５は、咬合拡張１９においてブラケットボディ５に移動可能に接続している。図１に示すように、結紮部材２５は、略長方形の部材であってもよい。結紮部材２５は、（図６で示すように）結紮部材導管２７の優遇部分に受け入れられる１つ以上のレールを含んでいてもよい。図１の中に示される実施形態に示すように、結紮部材２５の上面が、咬合拡張１９上の２本の支柱２０の上面と、同一平面となるように、または少なくとも同じ高さになるように、結紮部材２５のレールは構成される。咬合拡張１９の上の２本の支柱２０は、結紮部材２５が結紮部材導管２７に受け入れられる際に、結紮部材２５上で一部のレールを被覆するため、結紮部材が、咬合歯肉方向のみに移動できるようになる。
【００５１】
一実施形態では、結紮部材２５は、ブラケットボディ５の外面と共面である滑らかな凸面外側表面を、有していてもよい。結紮部材２５の滑らかな、光沢のある表面は、細菌の粘着およびプラーク蓄積を抑止しつつ、良い口腔衛生を維持しやすいように設計される。結紮部材２５は、マーク３５を結紮部材２５の中心線に沿って含むことにより、ブラケット接着手順の間に、臨床医に対してブラケットを臨床歯冠歯の軸の傾斜角に合わせることを支援する。マーク３５は、結紮部材２５上に成形、機械加工、または塗布される、永続的なまたは当面の指標であることが可能である。
【００５２】
図２は、患者の上側歯の唇側面３７に配置される自己結紮ブラケット１の実施形態を示している。示されるように、自己結紮ブラケット１は、結紮部材２５がクローズドである際に、アーチワイヤ１３をアーチワイヤスロット１１内に保持することが可能である。自己結紮ブラケット１は、フック３９を含んでいてもよい。他の補助デバイスが、自己結紮ブラケット１上に含まれていてもよい。
【００５３】
図３は、患者の下歯の舌表面４１に配置される、自己結紮ブラケット１の実施形態を示している。この図では、自己結紮ブラケット１は、アーチワイヤ１３とのクローズドポジションにより、歯面に装着されていることが示されている。理解可能なように、結紮スライド２５は、アーチワイヤ１３がアーチワイヤスロット１１から取り出されないように予防する。図４では、結紮スライド２５はクローズドポジションにあり、アーチワイヤ１３はアーチワイヤスロット１１から取り出されている。図５では、結紮スライド２５は、オープンポジションにあり、アーチワイヤ１３はアーチワイヤスロット１１から取り出されている。
【００５４】
図６〜７に示すように、自己結紮ブラケット１は、一実施形態では、結紮部材２５を結紮部材導管２７に受け入れように構成される。結紮部材導管２７を、咬合拡張１９の中心前部に配置することが可能である。結紮部材導管２７を、２本の支柱の下に位置する咬合拡張１９の上に位置する、２つの対立した内心突出側壁により、画定してもよい。結紮部材導管２７に受け入れられた結紮部材２５は、結紮部材２５が歯肉拡張１７の咬合接面に遭遇するまで、結紮部材導管２７に沿って歯肉拡張１７の方へ、略直鎖運動で移動することができるようになる。結紮部材導管２７は、２つの内心対向スロットを有する広い正面開放端を示してもよく、結紮部材２５およびそこに含まれるレールを、オープンポジションからクローズドポジションへ進行するように、保持し可能にするようになる。結紮部材導管２７は、結紮部材２５上の適切な優遇な形状または特徴を有する、他の適切な形状および特徴を有していてもよい。
【００５５】
理解可能なように、結紮部材２５は、結紮部材導管２７内でオープンポジションからクローズドポジションへ移動することが可能である。臨床医の要求に従い、たとえば治療間にオープンポジション内に、または、たとえばアーチワイヤが治療訪問と治療訪問の間で間挿した後にクローズドポジション内に、スライドを保持することが望ましい。オープン位置またはクローズド位置の中に結紮部材を維持するため、自己結紮ブラケット１は保持メカニズムを含んでおり、この保持メカニズムは、スプリング５１と突起５３とを含んでいてもよい。スプリング５１と突起５３とは、相互作用して、結紮部材２５のブラケットボディ５に対する不要な移動を予防する。
【００５６】
一実施形態では、スプリング５１は、離散環状弾性部材である。この実施形態では、スプリング５１は、結紮部材２５の一部としてまたは自己結紮ブラケット１の他の要素として非一体的に形成されるまたは機械加工される別々の部材である。好ましい実施形態では、スプリング５１は、外径が０．５〜１．５ｍｍであり、０．１５〜２ｍｍの高さを有し、ニッケル−チタン合金で製造される。このスプリング５１の寸法は、自己結紮ブラケットのサイズおよびブラケットを用いようとしている歯のサイズにより、変化してもよい。スプリング５１は、ワイヤの断片、１枚の物質からの切断、またはチューブのスライスから形成されてもよい。スプリング５１の生産におけるさらに別の方法も、考慮される。更に、
他の実施形態において、
スプリング５１は、たとえば円板状、卵状、ヘリカル状、半円状、円状または湾曲状、またはその他の適切な構成等の、他の形状を有することが可能である。スプリング５１は、他の適切な金属、合金、プラスチック、ゴム、複合体または他の弾力のある天然物質または合成物質により作製することも可能である。
【００５７】
前述のように、そして図７に示すように、ブラケットボディ５は、ブラケットボディ５の上面より伸びる突起５３を含んでいてもよい。突起５３は、結紮部材２５内でリセス４３とスプリング５１とに調和するように適応する。一実施形態では、突起５３は、ブラケットボディ５と一体的に形成される、またはブラケットボディ５内に成形される、円筒形のピンである。突起５３は、しかしながら、適切な形状または性質に作製されてもよく、ブラケットボディ５と独立して結合してもよい。突起５３がリセス４３の中を移動してスプリング５１に接触するようになるため、さらに説明していくように、突起５３が滑らかな表面になることが望ましい。
【００５８】
図１０〜１４に示すように、突起５３はリセス４３と調和し、スプリング５１と相互作用する。一実施形態では、リセス４３は、結紮部材２５の底面に配置され、その結紮部材２５は、その上に突起５３が属するブラケットボディ５の上面に隣接して設置される。リセス４３は、スプリング部分４５を含んでもよく、このスプリング部分４５は、第１の端部５５と誘導部分４７とによりある程度画定され、この第１の端部５５と誘導部分４７とは、第２の端部６３によりある程度画定される。一実施形態では、第１の端部５５は円弧であってもよく、第２の端部６３は直鎖であってもよい。図１０に示すように、スプリング部分４５は、スプリング５１を配置するための、領域を提供する。リセス４３の第１端部５５は、スプリング５１の一部と同心であってもよく、そのために、スプリング５１をリセス４３内に適切に位置決めし調整するための表面を提供する。一実施形態では、スプリング５１の高さは、スプリング部分４５においてリセス４３の深度より低いため、位置に保持されない限り、スプリング５１はリセス４３に「浮く」ことができる。この構成は、結紮部材がオープンポジションからクローズドポジションへ移動する際の抵抗性を最小にし、その逆もまた同じである。図６に示す実施形態で示すように、高さがリセス４３の深度より低いスプリング５１は、スプリングが、ブラケットボディ５の唇の接面より上に「自由フロート」することを、本質的に可能にする。ここに用いられる場合において、語「自由フロート」とは、スプリングが自己結紮ブラケット１のいかなる部分にも取り付けられないことを意味する。むしろ、スプリングは、リセス４３内に移動することができるようになる。
【００５９】
浮動性のスプリングを有することについての長所の１つは、この構造は、スプリングの全体に沿って、ストレス点を減少させるまたは最小にすることにより、バネ破損物の場合を減少させることにある。図１１に示す実施形態では、スプリング５１は、スプリング部分４５またはリセス４３内に自由に移動または回転する。
【００６０】
他の実施形態において、リセス４３の誘導部分４７は、結紮部材におけるただのリセスの代わりに、結紮部材における貫通穴であることが可能である。
【００６１】
他の実施形態において、スプリング５１とリセス４３とは、他の相対構造を有することが可能である。一実施形態では、スプリング５１は、スプリング部分４５内のプレス・フィットである。別の実施形態では、スプリング５１は、配置される際に最初は縮み、それがリセスの第１の端部５５に対して接するまで、本質的に伸びまたは広がる。このアプローチは特に有用であり、ここでスプリングは、一旦ブラケット１に組立てられれば、スプリング部分４５に展開する機会を有している。別の実施形態では、スプリング５１は、区画プロセスまたは類似プロセスで適所に保持されてもよく、そこでは、スプリング部分４５の端部は変形し、１つ以上の突起は、第１の端部５５から、またはリセス４３の内部表面から、スプリング部分４５に伸び、スプリング５１を適所に保持する。
【００６２】
図１１〜１４に示すように、リセス４３は、少なくとも第３の端部５７により画定するリリーフ部分４９をさらに含んでおり、この第３の端部５７は円弧であってもよい。理解可能なように、スプリング５１が突起５３により縮む際に、スプリング５１はリリーフ部分４９に伸びる。さらに図１１〜１４に示すように、リリーフ部分４９を、オープンポジションからクローズドポジションへの突起５３の動程の方向に平行に、長軸を有する楕円の一部として成形することが可能である。リリーフ部分４９の他の適切な構造を、（例えば、図１８に表すように）用いることも可能である。リリーフ部分４９により、大きな応力集中を形成することなく縮む際に、スプリング５１がリリーフ部分４９に延びることができるようになる。さらに、リリーフ部分４９は、第３の端部５７により画定するハードストップを提供することにより、スプリング５１が、どれ程度拡張領域の長軸に沿って膨張することができるかを制限する。
【００６３】
また、リセス４３は、誘導部分４７を含んでいる。突起５３は、誘導部分４７と調和する。図１２〜１４に示すように、結紮部材２５がオープンポジションからクローズドポジションに移動する際、突起５３は、第２の端部６３と略平行に、誘導部分４７に沿って進行する。別の実施形態では、第２の端部６３は、結紮部材導管２７の中心軸と略平行である。突起５３は、リセス４３の誘導部分４７へ伸びる。別の実施形態では、誘導部分４７は、クローズドポジションからオープンポジションへ移動する際に、結紮部材の動程を限定するハードストップとして機能し、ここで、突起５３は、誘導部分の内面に接して、ブラケットボディ５内に結紮部材２５を保持する（図１４に示される）。さらに、誘導部分４７が、スプリング部分４５に十分に重なり合うため、突起５３が動程の軌道に沿って、スプリング５１を妨げるようになる。理解可能なように、突起５３が、結紮部材２５のオープンポジションに対応する第１の位置から、結紮部材２５のクローズドポジションに対応する第２の位置に移動する際、スプリング５１はリリーフ部分４９に圧縮し伸び、突起５３が第１の位置から第２の位置まで進行するができるようになる。突起５３がオープンポジションからクローズドポジションへ移動できるようにするために、十分な力でスプリングを圧縮するための力が必要とされており、その逆もまた同じである。このように、リセス４３と、スプリング５１と突起５３とは、結紮部材をオープンポジションまたはクローズドポジションにいずれかに保持するための、保持メカニズムとして相互作用する。
【００６４】
自己結紮ブラケット１の保持メカニズム要素の相互作用が、図１２〜１４に例示される。図１２は、クローズドポジションの中に結紮部材を表している。スプリング５１は、第１の位置で、突起５３を半圧縮した状態または圧縮しない状態にある。保持メカニズムのリセスとスプリングとが、クローズドポジションでアーチワイヤスロットの上に横になっていてもよい。図１３は、オープンポジションとクローズドポジションの中間における結紮部材を表している。スプリング５１は、突起５３が、動程の軌道における第１の位置から第２の位置までの中間で圧縮した状態にある。図示のように、スプリング５１は、この状態でリリーフ部分４９に伸びた。リセス４３は、結紮部材がオープンポジションからクローズドポジションへ移動した際の離散スプリングの移動を制限する。一実施形態では、この制限は、結紮部材２５の動程の軌道に直交する方向にある。図１４は、オープンポジションにおける結紮部材を表している。スプリングは、第２の位置では、突起５３で半圧縮した状態または圧縮しない状態にある。
【００６５】
前述のとおり、突起５３は、ブラケットボディ５上に設置され、リセス４３とスプリング５１とは、結紮部材２５上に配置される。この構造は、他の実施形態において、逆にすることも可能である。具体的に、突起５３は、一体的に形成することが可能であり、または結紮部材２５に接続することが可能であり、スプリング５１を有するリセス４３は、ブラケットボディ５に配置することが可能である。この逆の構造では、図１５〜１７に示すように、保持メカニズムを相互作用させて、同一作用を実行させる。突起５３を、結紮部材２５の一部として成形してもよく、または、溶接結合、接着結合、機械結合、または他の手段により、その後結合してもよい。図１５および１６は、リセス４３のスプリング部分４５と、リリーフ部分５７と、誘導部分４７とをさらに表している。構造にかかわりなく、本発明は、結紮部材２５を有するブラケット組立体のためのアーチワイヤ保持メカニズムであり、ここで、リセス４３を有する第１の表面は、リセス内に設置されるスプリング５１と、第２の表面からリセスへと伸びる突起とを含んでいるため、第１の表面と第２の表面とが相互に動く際に、スプリングが突起により圧縮されるようになる。図１７は、ブラケット組立体を表す部分破断図であり、ここで、結紮部材２５は、ブラケットボディ５から取り外され、保持メカニズムのそれぞれの部品をさらに明示する。
【００６６】
図１８は、スプリング部分４５と、リリーフ部分４９と、誘導部分４７とを備えるリセスを示す、保持メカニズムのさらにもう一つの実施形態である。ここで、リセス４３は、様々な構造においても、結紮部材がオープンポジションからクローズドポジションへ移動する際に、スプリング部分４５におけるスプリング５１の移動を制限する。図１８では、突起５３により圧縮される際に、スプリング５１はリリーフ部分４９に伸びる（図示されず）。これは、スプリング部分４５におけるリセス４３の端部６５が、（図１３と同様に）圧縮される際に、スプリング５１の移動を制限するハードストップを提供するようになる。リセス４３が結紮部材２５内に属するような、この実施形態の構造を示してきたが、リセスがブラケットボディ５内に属し、突起は結紮部材内に属するように、構造を逆にしてもよい。本開示は、添付の図面に示す構成および手段に限定されないことが、理解される。
【００６７】
自己結紮ブラケット１は、機械加工、鋳造、金属射出成形（ＭＩＭ）、プラスチック射出成形（ＰＥＶＩ）、またはセラミック射出成形（ＣＩＭ）を含む適切な製造法を用いて製造することが可能である。自己結紮ブラケット１は、ステンレス鋼、金、ニッケルチタン、ニッケルフリーチタン合金、セラミック、コバルトクロム、プラスチックまたはその混合物等の、適切な物質で作製することが可能である。好適な具体例では、自己結紮ブラケット１は、ステンレス鋼で作製される。
【００６８】
歯列矯正ブラケット１は、ここに別段に示されない限り、前歯の唇側面に結合される参照フレームを用いて、ここに記載される。従って、ここに用いる場合において、ブラケットを記載するために用いられる唇、舌、近心、末端、咬合および歯肉等の語が、選択された参考文献フレームに関連している。本発明の実施形態は、しかしながら、選択された参考文献フレームおよび記述用語に限定され、なぜなら、歯列矯正ブラケットは、他の歯上、および口腔中の他の配向に用いられてもよい。例えば、ブラケットは、歯の舌表面に結合されてもよく、また、本発明の範囲内にあってもよい。ここに用いられる記述用語が、参照フレームに対して変更が存在することを直接適用しなくてもよいことを、当業者は認識する。それにもかかわらず、本発明の実施形態は、口腔内での位置および配向に対して独立であることと、歯列矯正ブラケットの実施形態を記載するために用いられる相対語が、図面中で、実施形態の明らかな説明を単に提供するだけであることとが、意図されている。このように、相対語、唇、舌、近心、末端、咬合および歯肉は、特定の位置または配向に対して本発明をなんら限定するものではない。
【００６９】
前述の明細書中に用いられた用語および表現が、その中で、説明の用語として用いられるものの、限定でなく、この用語と、示される特徴の同等性を除外する表現力と、その記載された部分との使用には、意図はなく、本発明の範囲は、追従する特許請求の範囲によってのみ画定され限定されることが認識される。
【図１】
2018538111.tif 000002
【図２】
2018538111.tif 000003
【図３】
2018538111.tif 000004
【図４】
2018538111.tif 000005
【図５】
2018538111.tif 000006
【図６】
2018538111.tif 000007
【図７】
2018538111.tif 000008
【図８】
2018538111.tif 000009
【図９】
2018538111.tif 000010
【図１０】
2018538111.tif 000011
【図１１】
2018538111.tif 000012
【図１２】
2018538111.tif 000013
【図１３】
2018538111.tif 000014
【図１４】
2018538111.tif 000015
【図１５】
2018538111.tif 000016
【図１６】
2018538111.tif 000017
【図１７】
2018538111.tif 000018
【図１８】
2018538111.tif 000019
【国際調査報告】
2018538111.tif 000020
2018538111.tif 000021
2018538111.tif 000022